(57)【要約】【課題】簡易な構造でありながら、多種の自転車に適用可能であり、かつ、輸送時における後輪部分の引きずりを防止することができる自転車用カバーを提供する。【解決手段】自転車の輸送時に用いられる自転車用カバー１０であって、左右一対のカバー部材１を有し、左右一対のカバー部材１で自転車を覆ったとき、自転車上部側および自転車後部側となる、左右一対のカバー部材１の上端部１ａと後端部１ｂがそれぞれ閉じられており、左右一対のカバー部材１のうち、一方のカバー部材１の後方に面ファスナー２が設けられている。【選択図】図１
2020075620.tif 000002
【特許請求の範囲】
【請求項１】
自転車の輸送時に用いられる自転車用カバーであって、
自転車左右を覆うカバー部材を有し、該左右一対のカバー部材で自転車を覆ったとき、自転車上部側および自転車後部側となる、前記左右一対のカバー部材の上端部と後端部がそれぞれ閉じられており、前記左右一対のカバー部材のうち、一方のカバー部材の後部側に面ファスナーが設けられていることを特徴とする自転車用カバー。
【請求項２】
前記面ファスナーのうち一方が、前記カバー部材の後部側の上端部近傍の外側表面に配置され、前記面ファスナーのうち他方が、前記面ファスナーの一方よりも前方であって、前記カバー部材の高さ方向略中央から、斜め前下方に向けて延びるように配置されている請求項１記載の自転車カバー。
【請求項３】
前記面ファスナーのうち他方が、複数設けられている請求項２記載の自転車カバー。
【請求項４】
サドルに対応する位置に、開閉可能な窓部が設けられている請求項１〜３のうちいずれか一項記載の自転車カバー。
【請求項５】
前記窓部が、透明な素材からなるカバーで覆われている請求項４記載の自転車カバー。
【発明の詳細な説明】
【技術分野】
【０００１】
本発明は、自転車用カバー（以下、単に「カバー」とも称す）に関し、詳しくは、簡易な構造でありながら、多種の自転車に適用可能であり、かつ、輸送時における後輪部分の引きずりを防止することができる自転車用カバーに関する。
【背景技術】
【０００２】
自転車の輸送には、通常トラックが用いられているが、複数の自転車をトラックで輸送するときには、自転車同士の接触による傷や破損から保護するために、段ボールや気泡緩衝材でフレームを覆ったり、自転車用カバーを被せたりといった対策がとられている。従来、自転車用カバーは、荷台にチャイルドシートを取り付けた状態を想定して、その形状に合わせて大きさの異なるカバーを複数種用意したり、チャイルドシートの有無にかかわらず自転車をカバーできるような大きなものが用いられたりしていた。
【０００３】
このような自転車輸送時に用いるカバーとして、例えば、特許文献１では、二輪車用車体カバーを被覆させて二輪車を輸送させるときに、二輪車の車輪の回転軸の上部から略上端部の箇所に備えられ、気体が注入される気体注入袋と、気体注入袋に気体を注入するための注入口と、を有する二輪車用車体カバーが提案されている。この気体注入袋に気体を注入すると、気体注入袋はクッションとして作用するため隣り合う自転車の破損や傷を防止することができる。また、特許文献１で提案されている二輪車用車体カバーは、二輪車のサドルを外部に出すためのサドル窓が形成されている。
【先行技術文献】
【特許文献】
【０００４】
【特許文献１】登録実用新案公報第３１８９４２２号
【発明の概要】
【発明が解決しようとする課題】
【０００５】
しかしながら、従来用いられてきた大きな自転車用カバーを、チャイルドシートを搭載しない自転車に用いた場合、自転車用カバーが大きすぎるため、自転車輸送時にカバーの後輪部分を引きずってしまうという問題が生じる。そのため、自転車のサイズに合わせて、カバーを複数種用意しなければならない。また、特許文献１で提案されているような自転車カバーは、構造が複雑であり、カバーの着脱作業が煩雑になってしまう。また、空気等のガスを気体注入袋に封入する必要があるため、使用に際して決して取り扱いがよいものではない。
【０００６】
そこで、本発明の目的は、簡易な構造でありながら、多種の自転車に適用可能であり、かつ、輸送時における後輪部分の引きずりを防止することができる自転車用カバーを提供することにある。
【課題を解決するための手段】
【０００７】
本発明者は、上記課題を解消するために鋭意検討した結果、自転車用カバーの所定の位置に面ファスナーを設けることで、これらの課題を同時に解消することができることを見出し、本発明を完成するに至った。
【０００８】
すなわち、本発明の自転車用カバーは、自転車の輸送時に用いられる自転車用カバーであって、
左右一対のカバー部材を有し、該左右一対のカバー部材で自転車を覆ったとき、自転車上部側および自転車後部側となる、前記左右一対のカバー部材の上端部と後端部がそれぞれ閉じられており、前記左右一対のカバー部材のうち、一方のカバー部材の後部側に面ファスナーが設けられていることを特徴とするものである。
【０００９】
本発明の自転車用カバーにおいては、前記面ファスナーのうち一方が、前記カバー部材の後部側の上端部近傍の外側表面に配置され、前記面ファスナーのうち他方が、前記面ファスナーの一方よりも前方であって、前記カバー部材の高さ方向略中央から、斜め前下方に向けて延びるように配置されていることが好ましい。また、本発明の自転車用カバーにおいては、前記面ファスナーのうち他方が、複数設けられていることが好ましい。さらに、本発明の自転車用カバーにおいては、サドルに対応する位置に、開閉可能な窓部が設けられていることが好ましい。さらにまた、本発明の自転車用カバーにおいては、前記窓部が、透明な素材からなるカバーで覆われていることが好ましい。
【発明の効果】
【００１０】
本発明によれば、簡易な構造でありながら、多種の自転車に適用可能であり、かつ、輸送時における後輪部分の引きずりを防止することができる自転車用カバーを提供することができる。また、本発明の自転車用カバーは、回収して再利用することが容易であるため、環境への負荷も少なくて済むという利点も有している。
【図面の簡単な説明】
【００１１】
【図１】本発明の一好適な実施の形態に係る自転車用カバーの概略斜視図である。
【発明を実施するための形態】
【００１２】
以下、本発明の自転車カバーについて、図面を用いて詳細に説明する。
図１は、本発明の一好適な実施の形態に係る自転車用カバーの概略斜視図である。本発明の自転車用カバー１０は、自転車の輸送の際に、自転車の上部から被せて用いるカバーであり、図示するように、左右一対のカバー部材１を備えている。そして、この左右一対のカバー部材１で自転車を覆ったとき、自転車上部側になるカバー部材１の上端部１ａと、自転車後部側となるカバー部材１の後端部１ｂがそれぞれ閉じられている。本発明のカバー１０の一実施の形態としては、１枚のカバー部材を２つに折って、この折り目をカバー部材の上端部１ａまたは後端部１ｂとして、他方を閉じ加工、例えば縫合により閉じてカバー部材１としたものであってもよいが、他の実施形態として、左右別々のカバー部材を用い、この２枚のカバー部材の上端部１ａと後端部１ｂとを閉じたものであってもよい。
【００１３】
本発明の自転車用カバー１０においては、左右一対のカバー部材１のうち、一方のカバー部材１の外側表面に面ファスナー２が設けられている。すなわち、カバー部材１に面ファスナー２を設けることで、自転車のサイズに対してカバー部材１が大きい場合、自転車にカバー１０をかけた後、カバー部材１の不要な部分を折り畳んで面ファスナー２で固定することで、カバーの大きさを調整することが可能となる。このように、本発明の自転車用カバー１０は、簡易な構造でありながら、多種の自転車に適用可能であり、かつ、輸送時における後輪部分の引きずりを防止することができる。
【００１４】
また、従来、自転車の輸送は、自転車を傷から保護するため、フレーム等に段ボールや気泡緩衝材を巻き付けて行っていたが、これら段ボールや気泡緩衝材はゴミになるため、廃棄コストがかかり、また、近年の環境志向の高まりからも好ましくない。これに対して、本発明の自転車カバーは、自転車輸送後、回収して再利用することも可能であり、経済的に優れ、また、環境志向にも適うものである。
【００１５】
本発明の自転車用カバー１０においては、図示するように、面ファスナー２のうち一方（取り付け側面ファスナー２ａ）が、カバー部材１の後部側の上端部近傍の外側表面に配置することが好ましい。これに対して、面ファスナー２のうち他方（被取り付け側面ファスナー２ｂ）は、取り付け側面ファスナー２ａよりも前方であって、カバー部材１０の高さ方向略中央から、下方または斜め前下方に向けて延びる帯状として配置することが好ましい。特に、被取り付け側面ファスナー２ｂは、斜め前下方に向けて延びる帯状として配置されていることが好ましい。このような構成とすることで、取り付け側面ファスナー２ａを、被取り付け側面ファスナー２ｂ上の任意の位置で固定することができるようになるため、カバー１０の大きさの調整の自由度が向上し、より多くの車種やチャイルドシートの有無等に対応可能となる。
【００１６】
また、本発明の自転車用カバー１０においては、面ファスナーのうち他方が、複数設けられていることが好ましい。すなわち、帯状の被取り付け側面ファスナー２ｂの数は多い方が好ましい。このような構成とすることで、さらに、カバー部材１０の大きさ調整の自由度が向上する。なお、この場合、斜め前下方に向けて延びる帯状の被取り付け側面ファスナー２ｂを複数個設けてもよいし、図示するように、斜め前下方に向けて延びる被取り付け側面ファスナー２ｂと下方に向けて延びる帯状の被取り付け側面ファスナー２ｂを設けてもよい。なお、本発明の自転車カバー１０においては、帯状の被取り付け側面ファスナー２ｂに換えて、取り付け側ファスナー２ａの面積よりも広い、略正方形状の被取り付け側面ファスナー２ｂを用いても同様の効果を得ることができる。
【００１７】
さらに、本発明の自転車用カバー１０においては、サドルに対応する位置に、開閉可能な窓部３が設けられていることが好ましい。自転車保管時には窓部３を閉じておくことで、雨やほこりによる自転車の汚染を防止することができ、自転車の輸送時には、この窓部３からサドルを出し、このサドルを持って自転車を移動させることが可能となる。特に、窓部３は、透明な素材からなるカバーで覆われていることが好ましい。このような構成とすることで、サドルに貼付されたシリアルナンバー等の製品情報を、カバーをした状態でも確認することができ、その都度カバーを外す必要がなくなる。その結果、自転車の管理等が容易になる。例えば、窓部３のカバーとしては、ポリ塩化ビニル等からなる透明または半透明の樹脂シートを用いることができる。
【００１８】
なお、窓部３を覆うカバーも面ファスナー等で開閉自在とすることが好ましい。このような構成とすることで、自転車のサドルをカバー外に容易に出すことができ、自転車の輸送作業の効率がよくなる。例えば、窓部３のカバーの前方をカバー部材１と縫合等により折り返し可能とし、後方の両側部の２ヶ所を面ファスナーで着脱可能とすることが好ましい。このような構成とすることで、窓部３の後部側から、作業者がカバー内部に手を入れられるようになるため、自転車の取り回し作業性が向上する。
【００１９】
さらにまた、本発明の自転車用カバー１０においては、左右一対のカバー部材１で自転車を覆ったとき、自転車前方になるカバー部材１の前端部１ｃに、開閉手段４を設けることも好ましい。図示例においては、開閉手段４として、カバー部材１の前端部１ｃの内側表面に面ファスナー４、が備えられている。このように、カバー部材１の前端部１ｃに開閉手段４を設け、前端部１ｃを開いた状態とすることで、自転車にカバー１０をかける際の作業性が向上し、また、自転車をカバーした後にカバー部材１の前端部１ｃを閉じることで、自転車のバスケットやフロントフォークを傷や汚れから保護することができる。また、前端部１ｃを閉じておくことで、自転車の輸送時に、前輪がカバー部材１を巻き込んでしまうことを防止することができる。
【００２０】
本発明の自転車カバー１０においては、開閉手段４は、カバー部材１の前端面１ｃの全体に設けてもよいが、上下方向において複数個所、図示例では２か所に分けて設けてもよい。例えば、図示するように、一方のカバー部材１の前端面１ｃの上側と下側に、それぞれ取り付け側面ファスナー４ａ、４ｂを、他方のカバー部材１の前端面１ｃの上側と下側に、それぞれ被取り付け側面ファスナー４ｃ、４ｄを、設けることでカバー１０の前端面を開閉自在としてもよい。この場合、面ファスナーは上側または下側のいずれか１か所でもよい。なお、開閉手段４としては、図示例では面ファスナー４を用いているが、これに限られるものではない。例えば、カバー部材１の前端部１ｃに設ける開閉手段４としては、線ファスナーを用いてもよいし、スナップボタンを用いてもよい。
【００２１】
本発明の自転車用カバー１０は、左右一対のカバー部材１の上端部１ａと後端部１ｂがそれぞれ閉じられており、左右一対のカバー部材１のうち、一方のカバー部材の後部側に面ファスナー２が設けられていることのみが重要であり、それ以外の構成については、特に制限はない。例えば、カバー部材１の材質としては、他の自転車との接触の際の衝撃を吸収できるよう、キルティング加工を施した布地等を好適に用いることができる。この際、カバー部材１の外側は、雨等で濡れてもよいよう、撥水加工を施すことが好ましい。また、カバー部材１の内側は、自転車に塗布されたグリスやオイル等で汚れてもよいよう、撥油加工を施すことが好ましい。なお、撥水加工や撥油加工についても特に制限はなく、既知の手法により行うことができ、例えば、キルティング加工が施された布地の外側に、防水性布部材を積層してもよい。
【００２２】
また、左右一対のカバー部材１の上端部１ａおよび後端部１ｂの閉じ加工についても特に制限はなく、縫合にて上端部１ａおよび後端部１ｂを閉じることができるが、線ファスナーまたはスナップボタンであってもよい。また、左右一対のカバー部材１は、必ずしも２つのカバー部材１を用いる必要はない。図示例においては、長尺のカバー部材を２つ折りにし、この折り目を上端部１ａとし、後端部１ｂが縫合されているが、長尺のカバー部材を２つ折りにし、この折り目を後端部１ｂとし、上端部１ａを縫合等による閉じ加工により閉じることで、左右一対のカバー部材１として用いてもよい。また、カバー部材１の上端部１ａおよび後端部１ｂの両方を縫合により閉じてもよい。
【００２３】
本発明の自転車カバー１０は、自転車のサイズやチャイルドシートの有無を問わずに用いることができ、例えば、軽快車、電動アシスト自転車、子供用自転車等の幅広い車種の輸送時のカバーに好適に用いることができる。
【符号の説明】
【００２４】
１  カバー部材
２  面ファスナー
３  窓部
３ａ  カバー
３ｂ  開閉手段（面ファスナー）
４  開閉手段（面ファスナー）
１０  自転車用カバー（カバー）
【図１】
2020075620.tif 000003